(57)【要約】      （修正有） 【課題】蝶番を予め取り付けてなる扉を開口部に容易に取り付けることのできるようにした扉の取付構造の提供及びその取付構造を利用した収納扉家具ユニットの提供。【解決手段】蝶番３ａ，３ｂを予め取り付けてなる扉を開口部に取り付けるための扉の取付構造であって、扉の上部及び下部において該扉の奥行き方向に延びる蝶番取付座７をそれぞれ有しており、扉を取り付けるべき開口部の天部及び／又は地部６ｂにおいて、蝶番取付座７の取付位置を両側から規制するガイド部１１を設ける。【選択図】図５
0003114259.tif 000002
【実用新案登録請求の範囲】
【請求項１】
蝶番を予め取り付けてなる扉を開口部に取り付けるための扉の取付構造であって、前記扉の上部及び下部において該扉の奥行き方向に延びる蝶番取付座をそれぞれ前記蝶番に付属して有するものにおいて、
前記扉を取り付けるべき開口部の天部及び地部の少なくとも一方において、前記蝶番取付座の取付位置を両側から規制するガイド部を設けたことを特徴とする扉の取付構造。
【請求項２】
前記ガイド部は、前記開口部の天部又は地部のとば口から奥に延びて形成された、前記蝶番取付座の寸法に見合った、溝からなる請求項１に記載の扉の取付構造。
【請求項３】
前記ガイド部は、前記開口部の天部又は地部のとば口付近から奥に延びて設けられてなる請求項１に記載の扉の取付構造。
【請求項４】
前記ガイド部は、前記蝶番取付座の奥行き方向の長さに略沿うように設けられてなる請求項３に記載の扉の取付構造。
【請求項５】
前記ガイド部は、前記蝶番取付座の奥行き先端部の停止位置を規定する手段を更に含む請求項１乃至４のいずれかに記載の扉の取付構造。
【請求項６】
前記ガイド部は、前記開口部の天部及び地部の両方に設けられてなる請求項１乃至５のいずれかに記載の扉の取付構造。
【請求項７】
前記扉は、２枚の扉を前記蝶番で互いに結合してなる回転扉セットからなる請求項１乃至６のいずれかに記載の扉の取付構造。
【請求項８】
前記扉は、その裏面に収納棚を設けてなるものである請求項１乃至７のいずれかに記載の扉の取付構造。
【請求項９】
前記蝶番は、前記扉の上部に取り付けられた上部蝶番と、これとは別に前記扉の下部に取り付けられた下部蝶番とからなる請求項１乃至８のいずれかに記載の扉の取付構造。
【請求項１０】
前記ガイド部は、前記開口部に取り付けられる取付枠体の天枠部材又は地枠部材に設けられている請求項１乃至９のいずれかに扉の取り付け構造。
【請求項１１】
２枚の扉を蝶番で互いに結合してなる回転扉セットであって、前記各扉の裏面に収納棚を設けてなると共に、該回転扉セットの上部及び下部において該扉の奥行き方向に延びる蝶番取付座をそれぞれ前記蝶番に付属して有するものと、
１又は複数の前記回転扉セットを併設して取り付けるための取付枠体であって、該取付枠体の天枠及び地枠に前記蝶番取付座を介して前記回転扉セットをボルト又はネジ締めすることにより取り付けるようにしてなるものであり、前記天枠及び地枠の少なくとも一方において前記蝶番取付座の所定の取付位置を両側から規制するガイド部を設けてなるものと
を具備し、前記取付枠体を建物室内壁面の収納用開口部に取り付け、前記ガイド部により前記回転扉セットの前記蝶番取付座をガイドすることにより該回転扉セットを前記取付枠体の所定位置にセットし、前記蝶番取付座を前記取付枠体にボルト又はネジ締めすることで該回転扉セットを該取付枠体に取り付けるようにしてなる収納扉家具ユニット。
【請求項１２】
前記ガイド部は、前記天枠及び地枠のそれぞれにおいて、そのとば口から奥に延びて形成された、前記蝶番取付座の寸法に見合った、溝からなる請求項１１に記載の収納扉家具ユニット。
【請求項１３】
前記建物室内壁面の前記収納用開口部とは、該建物室内に既設の押入開口であり、押入襖を取り外し、かつ、少なくともに前記扉の奥行き部分に抵触する押入棚の部分を除去した上で、前記収納扉家具ユニットを該押入開口に取り付けるようにすることで、押入リフォーム用収納扉家具ユニットとして機能させるようにしたことを特徴とする請求項１１又は１２に記載の収納扉家具ユニット。
【考案の詳細な説明】
【技術分野】
【０００１】
本考案は、蝶番を予め取り付けてなる扉を開口部に容易にかつ素早く確実に取り付けることのできるようにした扉の取付構造に関し、また、その取付構造を利用した収納扉家具ユニット、例えば、押入のリフォーム等に使用するのに適した収納扉家具ユニットに関する。
【背景技術】
【０００２】
従来より、不要になった押入を、布団以外の衣類や小物類の収納スペースにリフォームすることが行われている。しかし、従来の押入リフォームにおいては、襖を取り外したとしても、扉のない棚形式にするか、あるいは、扉の代わりにカーテンを引く等の工夫をしていたにすぎない。従って、見栄えのよい押入リフォームを簡便に行うことはできなかった。また、容易に収納性を高めることもできなかった。一方、下記特許文献１には、回転扉の裏面に複数の収納棚を具えた収納家具が示されている。しかし、この収納家具は、洋箪笥等の独立した家具からなっており、押入のリフォームに使用するのには全く適しておらず、また、思いつきもしなかった。
【特許文献１】特許第３３０６４１６号
【０００３】
この欠点を改善するために、本出願人は、先に、下記特許文献２において、押入を見栄え良くかつ簡便にリフォームするのに適した収納扉家具ユニットを提案した。そこに示された収納扉家具ユニットは、扉の縦方向寸法に略適合して延びた長尺の回転軸に蝶番結合された２枚の扉で構成される回転扉セットであって、前記各扉の裏面に収納棚を設けてなるものと、１又は複数の前記回転扉セットを併設して取り付けるための取付枠体であって、前記各回転扉セットの前記各回転軸を前記扉の奥行きに沿って延びる蝶番取付座を介して該取付枠体の天枠と地枠との間にボルト締めにより取り付けるべく、該天枠と地枠の所定位置に該ボルトに螺合する雌ねじがそれぞれ埋め込まれてなるものとを具備し、前記取付枠体を建物室内壁面の収納用開口部に取り付け、該取付枠体に対して前記回転扉セットの前記回転軸をボルト締めすることで該回転扉セットを該取付枠体に取り付けるようにしてなるものである。
【特許文献２】実用新案登録第３１０８０５９号
【０００４】
ところで、上記特許文献２のような収納扉家具ユニットを実際に試作してみた場合、その取付構造において次のような改善されるべき問題点があることがわかった。回転扉セットは１枚でも襖１枚分はある大きなもので、加えて、扉の裏面全体に収納棚を具えているので、かなりの重さとなり、大人２人の作業員でも取り付け（据え付け）時の取扱いに手間取り、取付枠体の所定の位置に設定するのに多大な苦労を要する。すなわち、取付枠体の天枠と地枠の所定位置に取付用の雌ねじがそれぞれ予め埋め込まれていたとしても、蝶番取付座のボルト通し孔が取付枠体の雌ねじの位置に合うように設定するのは大変で、少しでもずれていたり、僅かな傾きがあったとしても、ボルトのはめ込みはできず、また、下を合わせると上がずれるなど、至難のわざが要求されることがわかった。そこで、試みとして、蝶番取付座に複数設けられるボルト通し孔のうち一番奥のボルト通し孔を端部で開口したスロット孔とし、この端部開口スロット孔に対応する雌ねじの位置にボルトを軽く仮止めし、該仮止めしたボルトを目当てにして、蝶番取付座の端部開口スロット孔をあてがうようにして該仮止めしたボルトに嵌め込む工夫もしてみたが、一番奥の雌ねじに仮止めしたボルトに回転扉側の蝶番取付座の端部開口スロット孔を差し込むのは至難の技であり、しかも、それを上下同時に行うとなると、取付作業員２名では到底足りず、また、時間もかかる面倒な作業となってしまう。
【考案の開示】
【考案が解決しようとする課題】
【０００５】
本考案は上述の点に鑑みてなされたもので、蝶番を予め取り付けてなる扉を開口部に容易に取り付けることのできるようにした扉の取付構造を提供しようとするものであり、また、また、その取付構造を利用した収納扉家具ユニットを提供しようとするものであり、また、押入を見栄え良くかつ簡便にリフォームするのに適した収納扉家具ユニットを取付作業を容易に行うことのできるようにした構成で提供しようとするものである。
【課題を解決するための手段】
【０００６】
本考案は、蝶番を予め取り付けてなる扉を開口部に取り付けるための扉の取付構造であって、前記扉の上部及び下部において該扉の奥行き方向に延びる蝶番取付座をそれぞれ前記蝶番に付属して有するものにおいて、前記扉を取り付けるべき開口部の天部及び地部の少なくとも一方において、前記蝶番取付座の取付位置を両側から規制するガイド部を設けたことを特徴とする。
【０００７】
このように、扉を取り付けるべき開口部の天部及び地部の少なくとも一方において、蝶番取付座の取付位置を両側から規制するガイド部を設けたことにより、扉を開口部に取り付けるときに、蝶番取付座全体をおおまかにガイド部にあてがうようにして挿入するだけで、蝶番取付座が両側からガイドされて、容易に所定の取付位置にセットすることができる。蝶番を予め取り付けてなる扉を開口部の所定の位置に容易に取り付けることができ、取付作業を容易化、迅速化することができる。
【０００８】
本考案の好ましい実施形態として、前記ガイド部は、前記開口部の天部又は地部のとば口から奥に延びて形成された、前記蝶番取付座の寸法に見合った、溝（ガイド溝）で構成する。これにより、開口部の天部又は地部のとば口から、溝状のガイド部（ガイド溝）に合わせてスライド式に蝶番取付座を押し込んでいくことにより、扉を容易に所定の取付位置にセットすることができる。
【０００９】
本考案の別の好ましい実施形態として、前記ガイド部は、前記開口部の天部又は地部のとば口付近から奥に延びて設けられてなるように構成する。この場合も、開口部の天部又は地部のとば口付近から、ガイド部に合わせてスライド式に蝶番取付座を押し込んでいくことにより、扉を容易に所定の取付位置にセットすることができる。この場合、前記ガイド部は、前記蝶番取付座の奥行き方向の長さに略沿うように設けられていると、ガイドが確実に行われるので、更に好ましい。更に、前記ガイド部は、前記蝶番取付座の奥行き先端部の停止位置を規定する手段を更に含むとよい。
【００１０】
本考案の好ましい実施形態として、前記ガイド部は、前記開口部の天部及び地部の両方に設けられるのがよい。
【００１１】
本考案の好ましい実施形態として、前記扉は、２枚の扉を前記蝶番で互いに結合してなる回転扉セットからなる。すなわち、そのような回転扉セットの場合、扉の上部及び下部において該扉の奥行き方向に延びる蝶番取付座を使用して該回転扉セットを取り付けることが必須であるから、本考案を適用して益するところ大である。その場合、さらなる実施形態として、前記扉は、その裏面に収納棚を設けてなるものとするとよい。すなわち、そのような回転扉は裏面の収納棚の存在によりかなりの重さとなり、前述のように取付作業に困難を要することが試作によって確かめられていたが、本考案を適用することによって取付作業が格段に容易になるので、これを適用して益するところ大である。
【００１２】
本考案の好ましい実施形態として、前記蝶番は、前記扉の上部に取り付けられた上部蝶番と、これとは別に前記扉の下部に取り付けられた下部蝶番とからなる。このように、上部蝶番と下部蝶番とが分離された蝶番構成により、軽量かつシンプルな蝶番構成となり、また、製造コストも低減でき、外観上の見栄えもよくなる。これに対して、上記従来技術に示されたような、扉の縦方向寸法に略適合して延びた長尺の回転軸に一体的に蝶番を設ける構成は、扉を重くし、また、コスト高にし、また、長尺の回転軸が外観に現れるので見栄えも悪い。
【００１３】
本考案の好ましい実施形態として、前記ガイド部は、前記開口部に取り付けられる取付枠体の天枠部材又は地枠部材に設けられる。これによって、既設の建物の押入開口のような、既設の開口部に、アタッチメントして取付枠体を取り付けることで、本考案に従う取付構造を有する扉を容易に取り付けることができることとなり、本考案を押入リフォームなどに適した構成とすることができる。
【００１４】
さらに、本考案に係る扉の取付構造を適用したなる収納扉家具ユニットを提供するようにしてよい。
すなわち、本考案に係る収納扉家具ユニットは、２枚の扉を蝶番で互いに結合してなる回転扉セットであって、前記各扉の裏面に収納棚を設けてなると共に、該回転扉セットの上部及び下部において該扉の奥行き方向に延びる蝶番取付座をそれぞれ前記蝶番に付属して有するものと、１又は複数の前記回転扉セットを併設して取り付けるための取付枠体であって、該取付枠体の天枠及び地枠に前記蝶番取付座を介して前記回転扉セットをボルト又はネジ締めすることにより取り付けるようにしてなるものであり、前記天枠及び地枠の少なくとも一方において前記蝶番取付座の所定の取付位置を両側から規制するガイド部を設けてなるものとを具備し、前記取付枠体を建物室内壁面の収納用開口部に取り付け、前記ガイド部により前記回転扉セットの前記蝶番取付座をガイドすることにより該回転扉セットを前記取付枠体の所定位置にセットし、前記蝶番取付座を前記取付枠体にボルト又はネジ締めすることで該回転扉セットを該取付枠体に取り付けるようにしてなる。
【００１５】
この場合、実施例において、前記建物室内壁面の前記収納用開口部とは、該建物室内に既設の押入開口であり、押入襖を取り外し、かつ、少なくともに前記扉の奥行き部分に抵触する押入棚の部分を除去した上で、前記収納扉家具ユニットを該押入開口に取り付けるようにすることで、押入リフォーム用収納扉家具ユニットとして機能させるようにしたことを特徴とする。
【００１６】
この場合、本考案に係る扉の取付構造による上述した特有の効果を奏することに加えて、回転扉セットの各扉の裏面に収納棚を設けてなるため、扉だけであっても衣類や小物等の収納スペースを十分に確保することができるものであり、収納性を高めた収納扉家具ユニットを提供することができる。また、回転扉セットと共に、１又は複数の該回転扉セットを併設して取り付けるため取付枠体を含み、該取付枠体の天枠及び地枠の少なくとも一方において蝶番取付座の所定の取付位置を両側から規制するガイド部を設けてなることで、前記取付枠体を建物室内壁面の収納用開口部に取り付け、該取付枠体に対して前記回転扉セットを取り付けることで、この収納扉家具ユニットを建物室内壁面の収納用開口部（例えば押入）に簡便に取り付けることができるようになるという優れた効果を奏する。従って、押入を見栄え良くかつ簡便にリフォームするのに適した収納扉家具ユニットを提供することができる。更に、洋要箪笥のような奥行きを要求しておらず、少なくとも収納棚を含む扉の奥行き寸法に略適合する奥行きを持つ個所に設置できるので、奥行きのとれないスペースにも十分な収納機能を提供しうる収納扉家具ユニットを提供することができる。
【考案を実施するための最良の形態】
【００１７】
以下、添付図面を参照して本考案の一実施例につき詳細に説明する。
図１は本考案に係る扉の取付構造を適用した収納扉家具ユニットの一実施例の正面図、図２は該収納扉家具ユニットの平面図であり、該ユニットを押入開口部に設置することを想定して押入１０を点線で示している。また、図２では、取付枠体の天枠（上部枠）は図示の都合上除去して示している。
【００１８】
図１に示された本実施例では、２組の回転扉セット１及び２を使用している。各回転扉セット１（又は２）は、２枚の扉１ａ，１ｂ（又は２ａ，２ｂ）を、その上部と下部の２箇所で、上部蝶番３ａ（又は４ａ）及びこれとは別体の下部蝶番３ｂ（又は４ｂ）を介してそれぞれ蝶番結合してなる。１枚の扉１ａの寸法は、例えば横404mm、たて2300mm程度であり、これが横に４枚並ぶと、丁度、天袋付き押入の全開口寸法に略適合するようになっている。各扉１ａ，１ｂ，２ａ，２ｂの表面は任意の化粧板によって家具仕立てで仕上げられている。図３に示すように、各扉１ａ，１ｂ（又は２ａ，２ｂ）の裏面には、収納棚５が夫々設けられている。この収納棚５の奥行きは一例として190mm程度であり、棚段の数は任意であってよく、また、各棚段は固定であってもよいし、取外し可能であってもよい。回転扉セット１，２は、予めファクトリ・セット（工場で量産）される。なお、各扉１ａ，１ｂ（又は２ａ，２ｂ）の裏面に設ける収納棚５の横幅寸法は、回転軸３（又は４）の反対側の端部が、扉１ａ，１ｂ（又は２ａ，２ｂ）の端部よりも内側に来るように、該扉の横幅寸法よりも小さい。これは、扉１ａ，１ｂ（又は２ａ，２ｂ）を開いたときの収納棚５の回転半径を確保するためである。
【００１９】
この収納扉家具ユニットは、回転扉セット１，２のほかに、所定数（１又は複数、図示例では２）の該回転扉セット１，２を併設して取り付けるための取付枠体６を含む。この取付枠体６は、建物室内の収納用開口部（例えば押入開口部）に、回転扉セット１，２を簡便に取り付けるためのものであり、図４に示すように、天枠（上部枠）６ａ，地枠（下部枠）６ｂ，左右の側枠６ｃ，６ｄで構成される四角い枠である。取付枠体６は、回転扉セット１，２の収納棚５を含む扉１ａ〜２ｂの奥行き寸法に略適合する奥行きを持ち、回転扉セット１，２を安定して取り付けることができるようになっている。
【００２０】
回転扉セット１（又は２）の取付枠体６に対する取付構造について図５に示す下部蝶番３ｂの部分の拡大図を参照して説明する。この蝶番３ｂとしては、通常知られた２枚羽根構成の金属蝶番を使用してよく、２枚の羽根３１ａ，３１ｂが心棒部３１ｃに３６０度自在に回転可能に装着され、各羽根の隣接部位及びその他の接触部位にスラスト軸受として機能するナイロンリング３１ｃが適宜数配置されている。蝶番３ｂの一方の羽根３１ａが一方の扉１ａの収納棚５の側面にビス等で堅固に固定され、また、他方の羽根３１ｂが他方の扉１ｂの収納棚５の側面に堅固に固定される。下部蝶番３ｂの下端には適宜の長さのスリーブ３１ｅを介して蝶番取付座７が取り付けられる。金属製の蝶番取付座７は、回転扉セット１（又は２）の収納棚５の奥行きに沿う適宜の長さを持ち、一端よりには蝶番３ｂに連結するための孔７ｄが設けられており、例えば、ボルト９を下方から該孔７ｄに通して蝶番３ｂの心棒部３１ｃに該蝶番取付座７を固定する。蝶番取付座７の所定箇所には複数のボルト挿入用の孔７ａ，７ｂ，７ｃが設けられている。一方、取付枠体６の地枠６ｂの上面における所定位置（回転扉セット１の蝶番取付座７を取り付けるべき位置）には、該地枠６ｂのとば口から奥に延びて、該蝶番取付座７の寸法に見合った寸法を有するガイド溝１１が形成されている。通常、地枠６ｂは木材からなり、地枠用木材に対するＮＣ加工により、所望の形状のガイド溝１１を容易に形成することができる。蝶番取付座７の先端７ｅは丸みを帯びており、この先端７ｅからガイド溝１１に蝶番取付座７を差し込むときに、差し込み易くなっている。また、地枠６ｂのガイド溝１１内には、該溝１１内に所定配置で差し込まれた蝶番取付座７のボルト挿入孔７ａ，７ｂ，７ｃに一致するように、該孔７ａ，７ｂ，７ｃから挿入されるボルト（図示せず）に螺合する雌ねじ８ａ，８ｂ，８ｃがそれぞれ埋め込まれている。
【００２１】
上部蝶番３ａも、図５に示した下部蝶番３ｂと同一構成であるので、詳細な図示は省略する。ただし、上下の関係が逆になっている。すなわち、上部蝶番３ａでは、その上端に適宜の長さのスリーブ３１ｅを介して蝶番取付座７が取り付けられる。また、この上部蝶番３ａの蝶番取付座７が取り付けられるべき取付枠体６の天枠６ａには、その下向き面における所定位置（回転扉セット１の蝶番取付座７を取り付けるべき位置）に、該天枠６ａのとば口から奥に延びて、該蝶番取付座７の寸法に見合った寸法を有するガイド溝１２（下向きの溝）が形成される。この下向きのガイド溝１２内にも、図５に示したものと同様に、該溝１２内に所定配置で差し込まれた蝶番取付座７のボルト挿入孔７ａ，７ｂ，７ｃに一致するように、該孔７ａ，７ｂ，７ｃから挿入されるボルト（図示せず）に螺合する雌ねじ８ａ，８ｂ，８ｃがそれぞれ埋め込まれている。
【００２２】
図４においては、取付枠体６の天枠６ａ及び地枠６ｂにおいて、取り付けるべき回転扉セット１及び２に対応して、必要な所定の位置にガイド溝１１，１２が設けられることが示されている。回転扉セット１（又は２）を取付枠体６にセットする場合は、上部蝶番３ａ及び下部蝶番３ｂの各蝶番取付座７の先端７ｅを、天枠６ａ及び地枠６ｂのガイド溝１１，１２の入口に合わせて、該天枠６ａ及び地枠６ｂのとば口から押し込み、該蝶番取付座７の両側をガイド溝１１，１２の両側面でガイドさせながら、スライドさせる。蝶番取付座７が奥まで押し込まれると、その先端７ｅがガイド溝１１，１２の終端に当たって停止され、所定の位置決めが完了する。この状態で、蝶番取付座７の各孔７ａ，７ｂ，７ｃからボルト（図示せず）を通して各ガイド溝１１，１２内の雌ねじ８ａ，８ｂ，８ｃに螺合させることで、回転扉セット１（又は２）が取付枠体６に固定される。この場合、ガイド溝１１，１２は、蝶番取付座７の所定の取付位置を両側から規制する構成であるため、その入口が幅広であり、取付時において各蝶番取付座７を各ガイド溝１１，１２の入口に対してあてがうことを楽に行うことができ、少人数の作業員によって、取付作業を迅速かつ楽に行うことができる。これは、特に、上下の蝶番取付座７を各ガイド溝１１，１２の入口に同時にあてがって押し込みスライドさせることが容易に行えることによる。
【００２３】
この収納扉家具ユニットを押入リフォーム家具として使用する場合について、その取り付け手順につき一例を説明する。
まず、押入１０の襖を取り外し、押入１０の中棚や天袋又は地袋などを除去し、本収納扉家具ユニットを設置するのに必要な開口スペースを建物室内壁面（つまり押入開口部）に形成する。このとき、押入１０の内部は、収納空間として利用できるため、必要に応じて各種棚や衣類掛けなどを造作してよいのは勿論である。また、押入１０の中棚や天袋又は地袋などを全部除去するまでもなく、少なくとも、収納扉家具ユニットの奥行き（扉裏面の収納棚５）に相当するスペースが形成されるようにすればよい。
【００２４】
次に、図４に示すように、取付枠体６を押入１０の開口に設置し、押入１０の入り口の左右の柱に側枠６ｃ，６ｄを釘等で打ち付けて固定し、また押入１０入り口の上下の桟又は梁に天枠６ａ、地枠６ｂを釘等で打ち付けて固定する。取付枠体６も、取り付ける回転扉セット１，２に見合った仕様で、予めファクトリ・セット（工場で量産）される。従って、リフォームしようとする押入の個体差によって、取付枠体６の外寸と、押入入り口スペースの内寸とがピタリ合わないことが当然ある。そのため、押入入り口サイズが多少小さめであっても、押入入り口の柱や又は梁を削ることなく、設置できるようにするために、収納扉家具ユニットの外寸を幾分小さめにしておくとよい。勿論、これに限らず、収納扉家具ユニットの外寸を所定の標準的な押入入り口サイズとしてもよい。押入入り口スペースの内寸と取付枠体６の外寸との間に隙間がある場合、該隙間スペースに見合った寸法の充填木材（図示せず）を充填し、取付枠体６を該充填木材を介在させて押入１０の入り口の左右柱及び上下桟又は梁に釘等で打ち付け固定する。そのような場合、取付枠体６に取り付けられた回転扉セット１，２の扉１ａ〜２ｂの上部又は左右に隣接して空きスペースが生じることがあり、見栄えが悪くなる。そのような見栄えの悪さを解消するために、該空きスペースに対応する配置で取付枠体６の上部又は左右に空きスペース充当用の化粧板材（図示せず）を取り付けるようにするとよい。そのような空きスペース充当用の化粧板材は、扉１ａ〜２ｂの化粧板材と同様の材質からなるものが好ましいが、それに限らない。なお、取付枠体６は予めファクトリ・セット（工場で量産）とせずに、設置現場で作業者が加工成形してもよい。
【００２５】
取付枠体６を押入１０の開口に設置した後、各回転扉セット１及び２を該取付枠体６に取り付ける。この場合、前述のとおり、回転扉セット１（又は２）の上端及び下端の各蝶番取付座７をそれぞれに対応するガイド溝１１，１２の入口に同時にあてがって押し込みスライドさせることが容易に行えるので、迅速に取付作業を行うことができる。そして、前述の通り、各蝶番取付座７の各孔７ａ，７ｂ，７ｃからボルト（図示せず）を通して各ガイド溝１１，１２内の雌ねじ８ａ，８ｂ，８ｃに螺合することで該蝶番取付座７を締め付け固定する。こうして、回転扉セット１及び２の取り付け作業は極めて簡単に完了する。
【００２６】
上記例では、この収納扉家具ユニットを押入リフォーム家具として使用する場合について説明したが、建物壁内に作り付けるウォークインクロゼットや作り付け収納家具などの扉としても使用してよいのは勿論である。また、そのような据え付け型リフォーム家具の扉に限らず、独立した単体の家具の扉の取付構造として、本考案を適用してもよい。なお、併設する回転扉セット１及び２の数は２個に限らず、１個又は３個以上であってもよく、また、回転扉セットのサイズは１種類に限らず、複数種類用意しておき、顧客のニーズに容易に応えることができるようにするとよい。なお、この収納扉家具ユニットの材質は、通常の家具と同様に木材及び化粧板並びに金属金物類（軸金具）からなるが、必要に応じて合成樹脂等の非木材を適宜部分的に用いてもよいのは勿論である。
【００２７】
また、取付枠体６は、図４のような方形枠に限らず、天枠６ａと地枠６ｂのみからなるものであってもよい。また、ガイド溝１１、１２を天枠６ａと地枠６ｂの両方に設けずに、一方にのみを設けても、本考案による利点を享受できるので、本考案の範囲に含まれる。天枠６ａ及び地枠６の側に埋め込みで設ける雌ねじ８ａ，８ｂ，８ｃは、必須ではない。例えば、取付側の開口部の天部（天枠６ａ）及び／又は地部（地枠６ｂ）の厚みが十分ある場合は、長めの木ねじで止めることで取付強度が得られるので、埋め込みの雌ねじ８ａ，８ｂ，８ｃを設けなくてもよい。
【００２８】
また、ガイド部としては、ガイド溝（１１、１２）に限らず、蝶番取付座７の両側面をガイドするように両側に設けた１対の突起体などその他の構成からなっていてもよいので、それらの変形された実施形態も、本考案の範囲に含まれる。しかし、溝状に凹ませてガイド部を形成するのが、施工後の見栄えがよいし、作業もしやすいので好ましい。
【００２９】
更に、蝶番の構造は、上記実施例に示したような上部と下部に分離されたタイプのものに限らず、前記特許文献２で示したような上から下まで１本の回転軸に複数の蝶番を設けたタイプのものであってもよい。しかし、上記実施例に示したような上部と下部に分離されたタイプの方が軽量かつ安価であり、また、外観的な見栄えもよい。また、上記実施例に示したような上部と下部に分離されたタイプのものを用いる場合であっても、更に中間に蝶番を追加するような変形を加えることは一向に差し支えなく、これも本考案の範囲にふくまれる。
【図面の簡単な説明】
【００３０】
【図１】本考案に係る扉の取付構造を適用した収納扉家具ユニットの一実施例の正面図。
【図２】該収納扉家具ユニットの平面図。
【図３】該収納扉家具ユニットの扉を開いて、裏面に設けられた収納棚を見せた状態を示す斜視図。
【図４】該収納扉家具ユニットの取付枠体を示す斜視図。
【図５】本考案に係る扉の取付構造の一実施例を示すもりので、図１の収納扉家具ユニットに使用する蝶番及び蝶番取付座及びそれに関連するガイド溝の構成例を示す拡大図。
【符号の説明】
【００３１】
１，２  回転扉セット
１ａ，１ｂ，２ａ，２ｂ  扉
３ａ，３ｂ  蝶番
５  収納棚
６  取付枠体
６ａ  天枠
６ｂ  地枠
６ｃ，６ｄ  側枠
７  蝶番取付座
７ａ，７ｂ，７ｃ  ボルト挿入用孔
１０  押入
１１，１２  ガイド溝
【図１】
0003114259.tif 000003
【図２】
0003114259.tif 000004
【図３】
0003114259.tif 000005
【図４】
0003114259.tif 000006
【図５】
0003114259.tif 000007